(57)【要約】【課題】  ディスプレイパネルを備えた電子機器において、ディスプレイパネルの取り付けを安全かつ容易に行う。【解決手段】  パネルユニット４０は、ＬＣＤパネル４２をトップケース４６とボトムケース４８とで挟持固定することにより組み立てられる。組み立てられたパネルユニット４０は、各係合爪５７と各係合穴７４との位置を合わせて表示面４０ａ側から押圧することにより、各係合爪５７が各係合穴７４に入り込んで、後カバー１４の外面に形成された当接面に取り付けられる。この際、当接面とボトムケース４８の外底面４８ａとが当接し、凹凸のない広い面同士で押圧力を均一に受ける。これにより、押圧によるパネルユニット４０の撓みが防止され、割れなどの不具合を起こすことなく安全かつ容易にパネルユニット４０の取り付けを行うことができる。【選択図】        図３
2006153963.tif 000002
【特許請求の範囲】
【請求項１】
表示面に画像を表示するディスプレイパネルを含むパネルユニットと、前記パネルユニットを駆動するための回路基板を収納する筐体とを備えた電子機器において、
前記筐体の外面に形成され前記表示面の裏面に接する当接面と、
この当接面に前記パネルユニットを取り付ける取付手段とを設けたことを特徴とする電子機器。
【請求項２】
前記当接面は、主要部分に凹凸のない平面で形成されていることを特徴とする請求項１記載の電子機器。
【請求項３】
前記パネルユニットは、前記表示面を露呈させる表示窓が形成され前記ディスプレイパネルを保護するケースを有していることを特徴とする請求項１又は２記載の電子機器。
【請求項４】
前記回路基板と前記パネルユニットは、前記取付手段によって前記パネルユニットが前記当接面に取り付けられた際に、前記当接面に形成された貫通孔を介して互いに嵌合する一対のコネクタによって電気的に接続されることを特徴とする請求項１から３のいずれか１項に記載の電子機器。
【請求項５】
前記取付手段は、前記パネルユニットを前記当接面に着脱自在に取り付けることを特徴とする請求項１から４のいずれか１項に記載の電子機器。
【請求項６】
前記取付手段を、穴部と、この穴部に係合する爪部とから構成し、前記パネルユニットを前記当接面にスナップフィット方式で取り付けられるようにしたことを特徴とする請求項５記載の電子機器。
【発明の詳細な説明】
【技術分野】
【０００１】
本発明は、ディスプレイパネルを備えた電子機器に関する。
【背景技術】
【０００２】
液晶パネルや有機ＥＬパネルなどのディスプレイパネルを備えた各種の電子機器が知られている。例えば、デジタルカメラでは、多くの機種がディスプレイパネルを備えており、いわゆるスルー画の表示や、記録した画像データの再生表示などに用いられている（特許文献１参照）。
【０００３】
デジタルカメラの多くは、特許文献１に記載されているデジタルカメラのように、ディスプレイパネルを、これを駆動する制御基板とともにカメラの筐体内に収納している。また、筐体には表示窓が形成されており、この表示窓を通じてディスプレイパネルの表示面を外部に露呈させている。
【０００４】
図５に示すように、デジタルカメラの背面側に設けられたディスプレイパネル３００は、筐体３０２の内部に収納される制御基板３０４に図示せぬ係止爪やビスなどで取り付けられた後、フレキシブルプリント配線基板（以下、ＦＰＣと称す）３０６がコネクタ３０８に差し込まれることにより制御基板３０４に電気的に接続される。
【０００５】
また、近年の制御基板３０４には、本体の小型化に対応して実装効率を高めるため、両面に電子部品を実装する両面実装基板が用いられており、基板面には実装した電子部品による凹凸が形成されている。こうした制御基板３０４の凹凸面に取り付けるため、ディスプレイパネル３００には、凹凸との接触を回避する嵩上げ用の取付足３１０が複数設けられており、この取付足３１０を基板面に当接させた状態で制御基板３０４に取り付けられる。
【特許文献１】特開２００４−２８７１８３号公報
【発明の開示】
【発明が解決しようとする課題】
【０００６】
しかしながら、取付足３１０を介してディスプレイパネル３００を制御基板３０４に取り付けると、ディスプレイパネル３００が複数の取付足３１０のみで支持されることになるため、いわゆる点当たりとなる。製造時の組み立て工程においては、ディスプレイパネル３００の表示面を押圧することが多く、点当たりのディスプレイパネル３００が撓んで
、割れなどの不具合を起こすことがあった。
【０００７】
この問題の解決策として、取付足３１０の取付面積を大きくすることが考えられるが、単に面積を大きくしたのでは制御基板３０４の実装効率が低下し、デジタルカメラ自体の大型化を招いてしまう。また、ディスプレイパネル３００を取り付ける専用のフレームを新たに設けることも考えられるが、同様にデジタルカメラ自体の大型化が懸念される。
【０００８】
さらに、制御基板３０４にディスプレイパネル３００を取り付けた後、ディスプレイパネル３００の表示面を筐体３０２に形成された表示窓３１２に正確に位置合わせすることは容易ではなく、表示面と表示窓３１２との間に位置ズレによる隙間などが生じないようにする組み立て作業は、煩雑なものであった。
【０００９】
本発明は、上記課題を鑑みてなされたものであって、機器自体の大型化を抑えつつ、ディスプレイパネルの取り付けを安全かつ容易に行うことができる電子機器を提供することを目的とする。
【課題を解決するための手段】
【００１０】
上記課題を解決するため、本発明の電子機器は、表示面に画像を表示するディスプレイパネルを含むパネルユニットと、前記パネルユニットを駆動するための回路基板を収納する筐体と、前記筐体の外面に形成され前記表示面の裏面に接する当接面と、この当接面に前記パネルユニットを取り付ける取付手段とを設けたことを特徴とする。
【００１１】
なお、前記当接面は、主要部分に凹凸のない平面で形成されていることが好ましい。
【００１２】
また、前記パネルユニットは、前記表示面を露呈させる表示窓が形成され前記ディスプレイパネルを保護するケースを有していることが好ましい。
【００１３】
また、前記回路基板と前記パネルユニットは、前記取付手段によって前記パネルユニットが前記当接面に取り付けられた際に、前記当接面に形成された貫通孔を介して互いに嵌合する一対のコネクタによって電気的に接続されることが好ましい。
【００１４】
さらに、前記取付手段は、前記パネルユニットを前記当接面に着脱自在に取り付けることが好ましく、穴部と、この穴部に係合する爪部とから構成されるスナップフィット方式を用いることが好適である。
【発明の効果】
【００１５】
本発明の電子機器によれば、筐体の外面に形成された当接面に、表示面の裏面を接触させた状態でパネルユニット取り付ける取付手段を設けたので、パネルユニットを押圧しながら取り付ける際にも、当接面で押圧力を均一に受けて押圧によるディスプレイの撓みを防止するので、割れなどの不具合を起こすことなく安全に取り付けを行うことができる。
【００１６】
また、パネルユニットを筐体の外面に形成された当接面に取り付けることによって位置合わせが容易になり、組み立て時の作業性を向上させることができる。さらに、パネルユニットが外面側に取り付けられ、筐体の内部にフレームなどの部材も必要としないので、筐体の内部空間を簡素にすることができるとともに、基板の実装効率が低下することもないので、機器自体の大型化も抑えることができる。
【発明を実施するための最良の形態】
【００１７】
図１は、デジタルカメラ（電子機器）１０の概略構成を示す前面方向の斜視図である。デジタルカメラ１０は、前面と上下及び両側面の一部とを覆う前カバー１２と、背面と上下及び両側面の一部とを覆う後カバー１４とからなる筐体１６を有している。
【００１８】
デジタルカメラ１０の前面には、撮像レンズ１８を保持するレンズ鏡筒２０と、被写体を照射するストロボ発行部２２と、目視で撮像を行うための光学ファインダ２４とが設けられており、デジタルカメラ１０の上面には、デジタルカメラ１０にシャッタレリーズ指示を与えるシャッタボタン２６が設けられている。
【００１９】
図２は、デジタルカメラ１０の概略構成を示す背面方向の斜視図である。デジタルカメラ１０の背面には、ズーム倍率の変更、各種の動作モードの切り替え、及び電源のＯＮ／ＯＦＦの切り替えなどを指示する各種の操作ボタン３０が設けられている。また、デジタルカメラ１０の背面には、撮像時のスルー画像やメモリカードなどに記録された画像を表示面４０ａに表示するパネルユニット４０が取り付けられている。
【００２０】
図３は、パネルユニット４０と後カバー１４の周囲部との構成を概略的に示す分解斜視図である。筐体１６の内部には、図示せぬ係止爪やビスなどで筐体１６に保持される回路基板６０が設けられている。この回路基板６０には、例えば、ＣＰＵやＲＯＭなどの種々の電子部品が実装されており、デジタルカメラ１０全体を統括的に制御する。また、回路基板６０には、パネルユニット４０と電気的に接続するためのレセプタクルコネクタ６２が実装されている。
【００２１】
回路基板６０と後カバー１４との間には、各操作ボタン３０がランナー３２によって連結されたボタンユニット３４が設けられている。ランナー３２には、ボタンユニット３４を取り付ける際に用いる位置決め穴３６が形成されている。
【００２２】
各操作ボタン３０には、回路基板６０に向けて突出した略円柱状の突出部３０ａが形成されており、各突出部３０ａの端面には、導電性が持たされている。回路基板６０の各突出部３０ａと対面する位置には、検出部６４が設けられている。この検出部６４は、例えば、回路パターンが分断された電極であって、各操作ボタン３０が押圧されて導電性を有する各突出部３０ａの端面が接触した際に、分断された回路パターンを導通させて各操作ボタン３０が押圧されたことを検出する。
【００２３】
後カバー１４には、各操作ボタン３０を露呈させるボタン用開口７０と、レセプタクルコネクタ６２を露呈させるコネクタ用開口（貫通孔）７２と、パネルユニット４０を取り付けるための係合穴（穴部）７４とが設けられている。また、ボタンユニット３４の各位置決め穴３６に対応する位置には、位置決め突起７６が形成されている。ボタンユニット３４は、こられの各ボタン用開口７０と各位置決め突起７６とによって位置決めされた後、回路基板６０と後カバー１４とによって挟持固定される。
【００２４】
また、図４に示すように、後カバー１４の外面には、パネルユニット４０の表示面４０ａの裏面に接する当接面１４ａ（図中二点鎖線で囲まれた部分）が設けられている。この当接面１４ａは、コネクタ用開口７２以外の主要な部分に凹凸のない平面で形成されており、パネルユニット４０は、この当接面１４ａに接した状態で取り付けられる。
【００２５】
パネルユニット４０は、表示面４０ａを有するＬＣＤパネル（ディスプレイパネル）４２と、このＬＣＤパネル４２を覆って保護するケース４４とからなり、ケース４４は、表示面４０ａを露呈させる表示窓５０が設けられたトップケース４６と、このトップケース４６とともにＬＣＤパネル４２を挟持固定するボトムケース４８とから構成されている。
【００２６】
ＬＣＤパネル４２は、周知のように、液晶素子が封入された液晶板、垂直及び水平方向の偏光板、液晶板を照明する光源などから構成されている。このＬＣＤパネル４２には、回路基板６０のレセプタクルコネクタ６２と嵌合するプラグコネクタ５２が設けられている。このプラグコネクタ５２とレセプタクルコネクタ６２は、ケーブルなどを用いずに回路基板６０とＬＣＤパネル４２とを直接接続する、いわゆるBoard To Board（以下、Ｂ  Ｔｏ  Ｂと称す）コネクタであって、請求項記載の『一対のコネクタ』に相当するものである。各コネクタ５２、６２を介して電気的に接続されたＬＣＤパネル４２は、回路基板６０からの駆動信号に基づいて画像を表示面４０ａに表示する。なお、プラグとレセプタクルの関係は本例とは反対に、回路基板６０側がプラグでＬＣＤパネル４２側がレセプタクルであってもよい。
【００２７】
ボトムケース４８は、その外径がトップケース４６の内径とほぼ一致するように一回り小さく成型されており、ＬＣＤパネル４２を内部に保持した後、トップケース４６の中に入り込むことによって、トップケース４６とともにＬＣＤパネル４２を挟持固定する。この際、ボトムケース４８の両側面に形成された係合穴５３と、トップケース４６の両側面に形成された係合爪５４とが係合し、ボトムケース４８が簡単に抜け落ちることを防止する。また、ボトムケース４８には、ＬＣＤパネル４２を挟持固定した際に、プラグコネクタ５２を露呈させるための開口５５が設けられている。
【００２８】
トップケース４６に入り込んだボトムケース４８の外底面４８ａは、トップケース４６の開口面と面一になるか、あるいはわずかに突出して、パネルユニット４０が後カバー１４に取り付けられた際に、後カバー１４の当接面１４ａに接する。すなわち、このボトムケース４８の外底面４８ａが、請求項記載の『表示面の裏面』に相当している。
【００２９】
トップケース４６の表示窓５０には、保護ガラス５６が嵌め込まれており、ＬＣＤパネル４２の表示面４０ａを塵芥や傷などから保護する。また、トップケース４６の上下面には、後カバー１４の各係合穴７４と係合する係合爪（爪部）５７が形成されている。すなわち、パネルユニット４０は、各係合爪５７と各係合穴７４との係合による、いわゆるスナップフィット方式で後カバー１４に取り付けられるものであり、各係合爪５７と各係合穴７４は、請求項記載の取付手段の一例を示している。なお、係合穴と係合爪の関係は本例とは反対に、後カバー１４側が係合爪でパネルユニット４０側が係合穴であってもよい。
【００３０】
次に、上記構成によるデジタルカメラ１０の作用について説明する。パネルユニット４０は、ＬＣＤパネル４２をトップケース４６とボトムケース４８とで挟持固定することにより組み立てられる。これにより、ＬＣＤパネル４２を塵芥や外力などから保護することができるとともに、筐体１６の外面側に位置する当接面１４ａに取り付けた際にも外観品位を保つことができる。
【００３１】
組み立てられたパネルユニット４０は、各係合爪５７と各係合穴７４との位置を合わせて表示面４０ａ側から押圧することにより、各係合爪５７が各係合穴７４に入り込み、スナップフィットによって後カバー１４の当接面１４ａに取り付けられる。この際、Ｂ  Ｔｏ  Ｂコネクタであるプラグコネクタ５２とレセプタクルコネクタ６２とがコネクタ用開口７２を介して互いに嵌合し、回路基板６０とパネルユニット４０とが電気的に接続される。
【００３２】
本実施形態のデジタルカメラ１０によれば、表示面４０ａ側から押圧してパネルユニット４０を取り付ける際にも、後カバー１４の当接面１４ａとボトムケース４８の外底面４８ａとを当接させて、凹凸のない広い面同士で押圧力を均一に受けるので、押圧によるＬＣＤパネル４２の撓みを防止し、割れなどの不具合を起こすことなく安全に取り付けを行うことができる。
【００３３】
また、パネルユニット４０が取り付けられる部材が、例えば、プリント基板などのように強度の低い部材であると、押圧力によってその部材自体が撓んで、ＬＣＤパネル４２に割れなどの不具合を起こす場合があるのに対し、外装である後カバー１４は、例えば、ステンレスやアルミ、または硬質の樹脂素材などで成型されており、元来充分な強度が持たされている。そのため、押圧力によって後カバー１４自体が撓みなどの変形を起こすことはないので、取り付けられる部材自体の変形による不具合の発生をも防止することができる。
【００３４】
また、パネルユニット４０を後カバー１４の外面側に取り付けるので、従来のように表示面と筐体の開口とのズレなどを心配する必要がなく、位置合わせが容易になって組み立て時の作業性を向上させることができる。さらに、各係合爪５７と各係合穴７４とによる機械的な取り付けと、プラグコネクタ５２とレセプタクルコネクタ６２とによる電気的な接続とが同時に行われるので、機械的な取り付けと、ＦＰＣなどによる電気的な接続とを個別に行っていた従来と比較して、格段に作業性がよい。
【００３５】
また、パネルユニット４０が後カバー１４の外面側に取り付けられ、筐体１６の内部にパネルユニット４０を取り付ける専用のフレームなども必要としないので、筐体１６の内部空間を簡素にすることができるとともに、回路基板６０の実装効率が低下することもないので、デジタルカメラ１０自体が大型化することもない。
【００３６】
さらに、パネルユニット４０を外面側に取り付けるようにしたことにより、パネルユニット４０を持つ機種と持たない機種、表示面４０ａのサイズが異なる機種などのように、パネルユニット４０の形態の異なる複数の機種の作りわけを容易に行うことができる。
【００３７】
なお、スナップフィット方式で取り付けられたパネルユニット４０は、上下方向から押圧してトップケース４６を弾性変形させることにより、各係合爪５７の係合を解除して後カバー１４から取り外すことができる。このように着脱自在にすることにより、例えば、撮影時は小さいパネルユニット４０を付けておき、再生表示時には大きいパネルユニット４０に付け変えるなど、ユーザの利便性を向上させることができる。また、スナップフィットの係合を解除する方法や、着脱を容易に行うことができるスナップフィットの構造は、既に種々考案されており、これらを上記実施形態に組み込むようにしてもよい。
【００３８】
なお、上記実施形態では、取付手段として係合爪５７と係合穴７４とによるスナップフィット方式を用いているが、これに限ることなく、例えば、ディスプレイ４０にフランジを設けて、後カバー１４にネジで取り付けるネジ止め方式などを用いてもよい。但し、取付手段にネジ止め方式を用いると、ネジやフランジなどが露呈してしまうのに対し、スナップフィット方式では、こうした取付手段自体を外部に露呈させず、外観品位を保つことができるという効果もある。
【００３９】
また、上記実施形態では、ケース４４をトップケース４６とボトムケース４８とから構成してＬＣＤパネル４２を保護しているが、これに限ることなく、トップケース４６のみでＬＣＤパネル４２を保護するものであってもよいし、さらには、ＬＣＤパネル４２のみをパネルユニット４０として取り付けるものであってもよい。
【００４０】
また、上記実施形態では、ディスプレイパネルとしてＬＣＤパネル４２を用いているが、これに限ることなく、例えば、有機ＥＬや無機ＥＬ、及びプラズマなどの他の表示装置を用いるようにしてもよい。
【００４１】
なお、上記実施形態では、パネルユニット４０と回路基板６０との電気的な接続を、プラグコネクタ５２とレセプタクルコネクタ６２とによるＢ  Ｔｏ  Ｂコネクタで行っているが、これに限ることなく、例えば、ＦＰＣなどのケーブルを介して接続するものであってもよい。
【産業上の利用可能性】
【００４２】
上記実施形態では、電子機器の一例としてデジタルカメラを示したが、本発明はこれに限ることなく、例えば、携帯電話やＰＤＡなどディスプレイパネルを備えた他の電子機器にも適用することができる。
【図面の簡単な説明】
【００４３】
【図１】デジタルカメラの概略構成を示す前面方向の斜視図である。
【図２】デジタルカメラの概略構成を示す背面方向の斜視図である。
【図３】ディスプレイと後カバーの周囲部との構成を概略的に示す分解斜視図である。
【図４】パネルユニットが取り外されたデジタルカメラの概略構成を示す背面方向の斜視図である。
【図５】従来のディスプレイの取り付け方法を概略的に示す分解斜視図である。
【符号の説明】
【００４４】
１０  デジタルカメラ（電子機器）
１２  前カバー
１４  後カバー
１４ａ  当接面
１６  筐体
４０  パネルユニット
４０ａ  表示面
４２  ＬＣＤパネル（ディスプレイパネル）
４４  ケース
４６  トップケース
４８  ボトムケース
４８ａ  外底面
５０  表示窓
５２  プラグコネクタ
５７  係止爪（爪部）
６０  回路基板
６２  レセプタクルコネクタ
７２  コネクタ用開口（貫通孔）
７４  係止穴（穴部）
【図１】
2006153963.tif 000003
【図２】
2006153963.tif 000004
【図３】
2006153963.tif 000005
【図４】
2006153963.tif 000006
【図５】
2006153963.tif 000007